(57)【要約】      （修正有）【課題】送出する空気の流量を低下させることなく、クロスフローファンにおける流れ分布の乱れを低減する送風装置を提供する。【解決手段】空気調和機は、スタビライザ（１６）の、クロスフローファン（１５）と対向する側とは反対側に設けられ、クロスフローファン（１５）への軸方向に垂直な方向の空気流量を調整する整流部（２０Ａ）を備える。整流部（２０Ａ）は、前記整流部および前記クロスフローファンが並ぶ方向の長さが、一定ではない。【選択図】図５
2018138854.tif 000002
【特許請求の範囲】
【請求項１】
クロスフローファンと、該クロスフローファンの軸方向に沿って配置されたスタビライザとを備えた送風装置であって、
前記スタビライザの、前記クロスフローファンと対向する側とは反対側に設けられ、前記クロスフローファンへの前記軸方向に垂直な方向の空気流量を調整する整流部を備え、
前記整流部は、前記整流部および前記クロスフローファンが並ぶ方向の長さ、または、前記スタビライザに対する傾斜角度が、前記軸方向において一定ではないことを特徴とする送風装置。
【請求項２】
前記整流部は、前記軸方向の一方の端部から他方の端部に向かうにつれて、前記整流部および前記クロスフローファンが並ぶ方向の長さが短くなっていることを特徴とする請求項１に記載の送風装置。
【請求項３】
前記整流部は、前記軸方向の端部ではないある領域から両端部に向かうにつれて、前記整流部および前記クロスフローファンが並ぶ方向の長さが短くなっていることを特徴とする請求項１に記載の送風装置。
【請求項４】
前記整流部は、前記軸方向の両端部から端部ではないある位置に向かうにつれて、前記整流部および前記クロスフローファンが並ぶ方向の長さが短くなっていることを特徴とする請求項１に記載の送風装置。
【請求項５】
前記整流部は、前記スタビライザの、前記クロスフローファンと対向する側とは反対側の一部に設けられていることを特徴とする請求項１〜４のいずれか１項に記載の送風装置。
【請求項６】
前記整流部は、前記スタビライザとは別部品により構成されていることを特徴とする請求項１〜５のいずれか１項に記載の送風装置。
【請求項７】
前記別部品は、発泡材で成形されていることを特徴とする請求項６に記載の送風装置。
【発明の詳細な説明】
【技術分野】
【０００１】
本発明は、クロスフローファンを用いる送風装置に関する。
【背景技術】
【０００２】
クロスフローファン（貫流ファンとも称される）を用いる送風装置（例：壁掛け型の室内機を有する空気調和機）が知られている。このような種類の送風装置では、クロスフローファンが静圧の低い送風ファンであるため、圧力損失に弱く、圧力損失が高い場合には、サージング現象を引き起こし、所望の風量が得られない、または異音が発生するといった不具合が生じる。
【０００３】
上記の問題を解決するための技術が、例えば特許文献１に開示されている。特許文献１に開示されている空気調和機の室内ユニットでは、クロスフローファンの両端の側壁近傍のリアガイダの吸い込み部先端形状や通風炉の形状を改善することにより、側壁近傍での空気の流れを高静圧化させ、通風抵抗を最小限に抑えながら吹出風量の安定化を図っている。
【先行技術文献】
【特許文献】
【０００４】
【特許文献１】特許第３６９５７４０号公報（２００５年７月８日登録）
【発明の概要】
【発明が解決しようとする課題】
【０００５】
しかしながら、特許文献１に開示されている技術では、クロスフローファンの吹き出し側（下流側）において基本断面とは異なる形状を追加している。そのため、クロスフローファンの下流側での吹き出し領域が減少していまい、送風量が低下してしまうという問題があった。
【０００６】
本発明の一態様は、上記問題点に鑑みてなされたものであり、送出する空気の流量を低下させることなく、クロスフローファンにおける流れ分布の乱れを低減することができる送風装置を実現することを目的とする。
【課題を解決するための手段】
【０００７】
上記の課題を解決するために、本発明の一態様に係る送風装置は、クロスフローファンと、該クロスフローファンの軸方向に沿って配置されたスタビライザとを備えた送風装置であって、前記スタビライザの、前記クロスフローファンと対向する側とは反対側に設けられ、前記クロスフローファンへの前記軸方向に垂直な方向の空気流量を調整する整流部を備え、前記整流部は、前記整流部および前記クロスフローファンが並ぶ方向の長さ、または、前記スタビライザに対する傾斜角度が、前記軸方向において一定ではないことを特徴とする。
【発明の効果】
【０００８】
本発明の一態様によれば、送出する空気の流量を低下させることなく、クロスフローファンにおける流れ分布の乱れを低減することができるという効果を奏する。
【図面の簡単な説明】
【０００９】
【図１】本発明の実施形態１に係る空気調和機の正面方向の外観を示す斜視図である。
【図２】上記空気調和機の外観を示す正面図である。
【図３】上記空気調和機の長手方向に垂直な平面で切断した上記空気調和機の断面図である。
【図４】前面キャビネット、オープンパネル、第１前面側熱交換器および第２前面側熱交換器を省略した上記空気調和機の斜視図である。
【図５】上記空気調和機が備える整流部の構造を示すものであり、図４に示す矢印の方向から見た上記空気調和機の内部の模式図である。
【図６】上記空気調和機の変形例としての空気調和機が備える整流部の構造を示す模式図である。
【図７】本発明の実施形態２に係る空気調和機の構造を示す斜視図である。
【図８】上記空気調和機が備える整流部の構造を示すものであり、図７に示す矢印の方向から見た上記空気調和機の内部の模式図である。
【図９】上記空気調和機の変形例としての空気調和機が備える整流部の構造を示す模式図である。
【図１０】本発明の実施形態３に係る空気調和機の構造を示す斜視図である。
【図１１】上記空気調和機が備える整流部の構造を示すものであり、図１０に示す矢印の方向から見た上記空気調和機の内部の模式図である。
【図１２】上記空気調和機の変形例としての空気調和機が備える整流部の構造を示す模式図である。
【図１３】本発明の実施形態４に係る空気調和機の構造を示す斜視図である。
【図１４】上記空気調和機の変形例としての空気調和機が備える整流部の構造を示す模式図である。
【発明を実施するための形態】
【００１０】
〔実施形態１〕
以下、本発明の実施形態１における送風装置としての空気調和機１Ａについて、図１〜図５を参照しながら詳細に説明する。
【００１１】
なお、本実施形態では、室内機と室外機とからなるセパレートタイプの壁掛け型空気調和機の室内機である空気調和機１Ａを例示して説明を行う。但し、本発明の一態様に係る送風装置は、天井内据え付け型の空気調和機でもよいし、床置き型の空気調和機でもよいし、室外機を有しない室内専用機型の空気調和機（窓取付型エアコンなど）でもよい。また、本発明の一態様に係る送風装置は、空気調和機に限られず、タワー型扇風機、空気清浄器などのクロスフローファンを用いる送風機であればどのような送風装置であってもよい。
【００１２】
なお、以下に述べる各図面（特に図３など）には、空気調和機１Ａの様々な部材が示されているが、本実施形態とは関係しない部材については説明を省略する。これらの説明を省略する部材は、公知のものと同様であると理解されてよい。また、各図面は、各部材の形状、構造、および位置関係を概略的に説明することを目的としたものであり、必ずしもスケール通りに描かれていないことに留意されたい。
【００１３】
（空気調和機１Ａの構成）
図１は、空気調和機１Ａの正面方向の外観を示す斜視図である。図２は、空気調和機１Ａの外観を示す正面図である。なお、図１における＋Ｘ方向を右方向、−Ｘ方向を左方向、＋Ｙ方向を前方向、−Ｙ方向を後方向、＋Ｚ方向を上方向、−Ｚ方向を下方向として説明する。
【００１４】
図１および図２に示すように、空気調和機１Ａは、外側の構成部材として、気流パネル１１、キャビネット１２、およびオープンパネル１３を備えている。
【００１５】
気流パネル１１は、室内へ吹き出す気流の流路を規定する。気流パネル１１は、キャビネット１２に開閉可能に支持されている。気流パネル１１は、空気調和機１Ａの運転状態に応じて、空気調和機１Ａ内の制御装置（不図示）によって開閉が制御される。気流パネル１１が開かれた場合には、上記流路としての吹出口が露出する。
【００１６】
キャビネット１２は、空気調和機１Ａの各部材を収納する筐体である。キャビネット１２は、空気調和機１Ａの前面の一部、上面、および側面の一部を構成する前面キャビネット１２ａと、空気調和機１Ａの背面および側面の一部を構成する背面キャビネット１２ｂとを備えている。キャビネット１２の上面には、格子状の空気吸入口が設けられている。空気吸入口全体の概略的な開口形状は、Ｘ方向に沿った細長い長方形状である。
【００１７】
図３は、空気調和機１Ａの長手方向（Ｘ軸方向）に垂直な平面で切断した空気調和機１Ａの断面図である。図４は、前面キャビネット１２ａ、オープンパネル１３、第１前面側熱交換器１４ｂおよび第２前面側熱交換器１４ｃを省略した空気調和機１Ａの斜視図である。
【００１８】
図２〜図４に示すように、空気調和機１Ａは、キャビネット１２の内部に、熱交換器１４、クロスフローファン１５、スタビライザ１６、リアガイダ１７、ドレンパン１８、および整流部２０Ａを備えている。
【００１９】
熱交換器１４は、後述するクロスフローファン１５の上部側を囲むように、キャビネット１２の内側の上方に設けられている。熱交換器１４は、冷房運転時には冷媒を気化させる蒸発器として働き、室内の空気から熱を奪う。一方、熱交換器１４は、暖房運転時には冷媒を液化させる凝縮器として働き、室内に熱を放出する。
【００２０】
熱交換器１４は、キャビネット１２の内部の背面側に配置された背面側熱交換器１４ａと、キャビネット１２の内部の前面側に配置された、第１前面側熱交換器１４ｂおよび第２前面側熱交換器１４ｃとによって構成されている。第１前面側熱交換器１４ｂは、第２前面側熱交換器１４ｃよりも上部に位置している。
【００２１】
クロスフローファン１５は、Ｘ軸方向に平行な中心軸を有しており、モータ（不図示）の駆動力により当該中心軸の周りに回転可能である。また、クロスフローファン１５は、空気を吸入および送出するための複数のブレード（不図示）を、周方向に備えている。クロスフローファン１５が中心軸の周りに回転することにより、空気吸入口から室内の空気が吸入されるとともに、気流パネル１１から室内へ吹き出す気流が作り出される。具体的には、上記気流は、空気吸入口であるキャビネット１２の上面、熱交換器１４、クロスフローファン１５、および気流パネル１１を順に辿る経路を通る。
【００２２】
スタビライザ１６は、クロスフローファン１５から気流パネル１１に向かう通風経路を規定する部材である。スタビライザ１６は、クロスフローファン１５の前面側に配置され、クロスフローファン１５との間にわずかな距離を置いて対面している。スタビライザ１６は、Ｘ軸方向に延伸し、クロスフローファン１５の軸方向の幅とほぼ等しい幅を有しているとともに、クロスフローファン１５の周方向の一部に沿った長さを有している。スタビライザ１６は、舌部とも呼ばれている。スタビライザ１６は、クロスフローファン１５の回転から生じる空気渦を、意図する風の流れに適した位置において安定化させる役割を果たす。
【００２３】
リアガイダ１７は、クロスフローファン１５から気流パネル１１に向かう通風経路を規定する部材である。リアガイダ１７は、クロスフローファン１５の背面側に配置され、クロスフローファン１５との間にわずかな距離を置いて対面している。リアガイダ１７は、Ｘ方向に延伸し、クロスフローファン１５の軸方向の幅とほぼ等しい幅を有しているとともに、クロスフローファン１５の周方向の一部に沿った長さを有している。
【００２４】
ドレンパン１８は、第２前面側熱交換器１４ｃの下部に設けられており、第１前面側熱交換器１４ｂおよび第２前面側熱交換器１４ｃから落下する結露水を受け取る。本実施形態では、ドレンパン１８とスタビライザ１６とは、それぞれ別部材として構成されているが、これに限られるものではない。本発明の一態様の空気調和機は、ドレンパンとスタビライザとが一体で成形されてもよい。
【００２５】
次に、整流部２０Ａについて、図３〜図５を参照しながら説明する。図５は、整流部２０Ａの構造を示すものであり、図４に示す矢印の方向から見た空気調和機１Ａの内部の模式図である。なお、図５では、理解しやすくするため、クロスフローファン１５、スタビライザ１６および整流部２０Ａのみを示している。
【００２６】
整流部２０Ａは、クロスフローファン１５への軸方向（すなわちＸ軸方向）に垂直な方向（整流部２０Ａからクロスフローファン１５へと向かう方向）の空気流量を調整するための部材である。整流部２０Ａは、図３に示すように、スタビライザ１６の、クロスフローファン１５と対向する側とは反対側に設けられている。換言すれば、整流部２０Ａは、スタビライザ１６よりも前方側に設けられている。整流部２０Ａは、クロスフローファン１５の軸方向に垂直な断面（すなわち、ＸＺ平面に垂直な断面）において、一方の端部がスタビライザ１６の上端部１６ａと接続され、他方の端部がドレンパン１８に向かって延びる傾斜面となっており、スタビライザ１６と所定の角度（例えば、４５°〜９０°）をなしている。なお、本実施形態では、整流部２０Ａの左右の長さは、クロスフローファン１５の左右の長さと同じ長さであるが、整流部２０Ａの左右の長さはクロスフローファン１５の左右の長さよりも短くてもよい。また、整流部２０Ａの左右の長さは、スタビライザ１６の左右の長さと同じ、または、スタビライザ１６の左右の長さよりも長くてもよい。
【００２７】
また、整流部２０Ａは、図４および図５に示すように、クロスフローファン１５の軸方向に垂直な断面の長さ（整流部２０Ａおよびクロスフローファン１５が並ぶ方向の長さ）が、左右方向おいて一定ではない。具体的には、整流部２０Ａの左端から一定の距離までの領域（図５に示す領域Ａ１）におけるＸ軸に垂直な断面の長さが一定であり、領域Ａ１よりも右側の領域（図５に示す領域Ａ２）におけるＸ軸に垂直な断面の長さが右側に向かうにつれて短くなっている。
【００２８】
なお、本実施形態における整流部２０Ａは、スタビライザ１６と一体成形されている。これにより、スタビライザ１６および整流部２０Ａを、寸法精度を高く成形することができる。
【００２９】
（空気調和機１Ａの効果）
ここで、クロスフローファン１５の右側において、クロスフローファン１５の内部の流れ分布が乱れている場合を想定する。このような状況は、例えば、上記モータをネジによって固定するためのモータシャフト（不図示）を受けるボス部（不図示）がクロスフローファン１５の内部に存在するため、クロスフローファン１５の右側において圧力損失が増大するようなときに発生する。このような場合、所望の風量の送風が行えず、またサージング現象による異音が発生してしまう。なお、空気調和機１Ａの使用後であれば、フィルター部材に埃が堆積することによって圧力損失が増大するため、クロスフローファン１５の内部の流れ分布が乱れる。
【００３０】
この問題に対して、空気調和機１Ａは、クロスフローファン１５の軸方向に垂直な断面における長さが、領域Ａ２よりも領域Ａ１の方が長い整流部２０Ａを備えている。これにより、クロスフローファン１５の軸方向に垂直な方向に向かう流路が領域Ａ１よりも領域Ａ２の方が大きくなる。そのため、クロスフローファン１５に向かう空気流において左から右への流れが生じる。その結果、領域Ａ２におけるクロスフローファン１５に向かう空気流量が領域Ａ１におけるクロスフローファン１５に向かう空気流量よりも多くなる。これにより、領域Ａ２におけるクロスフローファン１５への空気の流入量を大きくすることができるので、クロスフローファン１５内部の右側における流れ分布の乱れを低減することができる。
【００３１】
また、整流部２０Ａは、空気調和機１Ａの内部における空気流路において、クロスフローファン１５よりも上流側に設けられている。これにより、クロスフローファン１５よりも下流側における気流の流量が低下することがないようになっている。すなわち、空気調和機１Ａは、送出する空気の流量を低下させることなく、クロスフローファン１５における流れ分布の乱れを低減することができる。
【００３２】
なお、本実施形態における空気調和機１Ａでは、整流部２０Ａとスタビライザ１６とを一体成形しているが、本発明の送風装置はこれに限られない。本発明の一態様における整流部２０Ａとスタビライザ１６とを別部品で構成されてもよく、例えば、整流部２０Ａを発泡材により成形してもよい。整流部２０Ａとスタビライザ１６とを別部品により成形することにより、スタビライザ１６を簡易な構造の金型により成形することができる。その結果、スタビライザ１６の寸法精度を向上させることができる。また、整流部２０Ａを別部品としての発泡材により成形する場合、発泡材は所望の形状に加工しやすいため、整流部２０Ａの形状を自由に設計することができる。なお、これらの事項は、後述する各実施形態および変形例においても適用可能である。
【００３３】
また、本実施形態における空気調和機１Ａでは、左右方向おいて、整流部２０Ａの、クロスフローファン１５の軸方向に垂直な断面の長さを変えることにより、領域Ａ２におけるクロスフローファン１５への空気の流入量を大きくしていたが、これに限られるものではない。本発明の一態様の空気調和機１Ａは、左右方向おいて、整流部２０Ａのスタビライザ１６に対する傾斜角度（換言すれば、クロスフローファン１５に対する傾斜角度）を変えることにより、領域Ａ２におけるクロスフローファン１５への空気の流入量を大きくする構成であってもよい。なお、これらの事項は、後述する各実施形態および変形例においても適用可能である。
【００３４】
＜変形例１＞
次に、実施形態１における空気調和機１Ａの変形例としての空気調和機１Ｂについて、図６に基づいて説明する。なお、説明の便宜上、前記実施形態にて説明した部材と同じ機能を有する部材については、同じ符号を付記し、その説明を省略する。
【００３５】
本変形例における空気調和機１Ｂは、実施形態１における整流部２０Ａの代わりに、整流部２０Ｂを備えている。
【００３６】
実施形態１における空気調和機１Ａでは、整流部２０Ａの左右方向の長さがクロスフローファン１５の軸方向の長さと同じであった。これに対して、空気調和機１Ｂでは、整流部２０Ｂの左右方向の長さがクロスフローファン１５の軸方向の長さよりも短くなっている。
【００３７】
図６は、整流部２０Ｂの構造を示す模式図である。なお、図６は、実施形態１における図５と同じ方向から空気調和機１Ｂを見た図である。
【００３８】
整流部２０Ｂは、図６に示すように、整流部２０Ｂの左端から一定の距離までの領域（図６に示す領域Ｂ１）におけるＸ軸に垂直な断面の長さが一定であり、領域Ｂ１の右端から一定の距離までの領域（図６に示す領域Ｂ２）におけるＸ軸に垂直な断面の長さが右側に向かうにつれて短くなっており、整流部２０Ｂの右端（すなわち、領域Ｂ２の右端）がクロスフローファン１５の右端よりも左側に位置している。すなわち、空気調和機１Ｂでは、整流部２０Ｂが、スタビライザ１６の、クロスフローファン１５と対向する側とは反対側において、クロスフローファン１５の軸方向における一部にのみ設けられている。
【００３９】
以上のように、空気調和機１Ｂは整流部２０Ｂを備えることにより、クロスフローファン１５に向かう空気流の一部が整流部２０Ｂに達すると、クロスフローファン１５に向かう空気流において左から右への流れが生じる。その結果、領域Ｂ２および領域Ｂ３におけるクロスフローファン１５に向かう空気流量が領域Ｂ１におけるクロスフローファン１５に向かう空気流量よりも多くなる。これにより、領域Ｂ２および領域Ｂ３におけるクロスフローファン１５への空気の流入量を大きくすることができる。その結果、クロスフローファン１５内部の右側における流れ分布が乱れている場合において、当該乱れを低減することができる。
【００４０】
〔実施形態２〕
本発明の他の実施形態について、図７および図８に基づいて説明すれば、以下のとおりである。なお、説明の便宜上、前記実施形態にて説明した部材と同じ機能を有する部材については、同じ符号を付記し、その説明を省略する。
【００４１】
本実施形態における空気調和機１Ｃは、実施形態１における整流部２０Ａの代わりに、整流部２０Ｃを備えている。
【００４２】
図７は、前面キャビネット１２ａ、オープンパネル１３、第１前面側熱交換器１４ｂおよび第２前面側熱交換器１４ｃを省略した空気調和機１Ｃの斜視図である。図８は、整流部２０Ｂの構造を示すものであり、図７に示す矢印の方向から見た空気調和機１Ｃの内部の模式図である。なお、図８では、理解しやすくするため、クロスフローファン１５、スタビライザ１６および整流部２０Ｃのみを示している。
【００４３】
整流部２０Ｃは、図７および図８に示すように、左右方向の中央付近の所定の領域（図８に示す領域Ｃ２）におけるＸ軸に垂直な断面の長さが一定であり、領域Ｃ２の左端から左側の領域（図８に示す領域Ｃ１）におけるＸ軸に垂直な断面の長さが左側に向かうにつれて短くなっており、領域Ｃ２の右端から右側の領域（図８に示す領域Ｃ３）におけるＸ軸に垂直な断面の長さが右側に向かうにつれて短くなっている。換言すれば、整流部２０Ｃは、左右方向において両端部から内側に向かうにつれて、Ｘ軸に垂直な断面の長さが長くなっている。なお、本実施形態では、整流部２０Ｃの左右の長さは、クロスフローファン１５の左右の長さと同じ長さであるが、整流部２０Ｃの左右の長さはクロスフローファン１５の左右の長さよりも短くてもよい。また、整流部２０Ｃの左右の長さは、スタビライザ１６の左右の長さと同じ、または、スタビライザ１６の左右の長さよりも長くてもよい。
【００４４】
ここで、クロスフローファン１５の左側および右側において、クロスフローファン１５の内部の流れ分布が乱れている場合を想定する。このような状況は、例えば、クロスフローファン１５の左右両外側に上記ブレードのない領域が存在することにより発生する。なお、空気調和機１Ｃの使用後であれば、フィルター部材に埃が堆積することによって圧力損失が増大するため、クロスフローファン１５の内部の流れ分布が乱れる。
【００４５】
この問題に対して、空気調和機１Ｃは、クロスフローファン１５の軸方向に垂直な断面における長さが、領域Ｃ１および領域Ｃ３よりも領域Ｃ２の方が長い整流部２０Ｃを備えている。これにより、クロスフローファン１５に向かう空気流の一部が整流部２０Ｃに達すると、クロスフローファン１５に向かう空気流において中央部から左側および右側への流れが生じる。その結果、領域Ｃ１および領域Ｃ３におけるクロスフローファン１５に向かう空気流量が領域Ｃ２におけるクロスフローファン１５に向かう空気流量よりも多くなる。これにより、領域Ｃ１および領域Ｃ３におけるクロスフローファン１５への空気の流入量を大きくすることができるので、クロスフローファン１５内部の左側および右側における流れ分布の乱れを低減することができる。
【００４６】
なお、本実施形態における空気調和機１Ｃでは、左右方向の中央付近の所定の領域においてＸ軸に垂直な断面の整流部２０Ｃの長さが一定である構成であったが、本発明の送風装置はこれに限られない。すなわち、本発明の一態様の空気調和機は、端部ではないある領域においてＸ軸に垂直な断面の整流部２０Ｃの長さが一定である構成であればよい。
【００４７】
＜変形例２＞
次に、実施形態２における空気調和機１Ｃの変形例としての空気調和機１Ｄについて、図９に基づいて説明する。なお、説明の便宜上、前記実施形態にて説明した部材と同じ機能を有する部材については、同じ符号を付記し、その説明を省略する。
【００４８】
本変形例における空気調和機１Ｄは、実施形態２における整流部２０Ｃの代わりに、整流部２０Ｄを備えている。
【００４９】
実施形態２における空気調和機１Ｃでは、整流部２０Ｃの左右方向の長さがクロスフローファン１５の軸方向の長さと同じであった。これに対して、空気調和機１Ｄでは、整流部２０Ｄの左右方向の長さがクロスフローファン１５の軸方向の長さよりも短くなっている。
【００５０】
図９は、整流部２０Ｄの構造を示す模式図である。なお、図８は、実施形態２における図８と同じ方向から空気調和機１Ｄを見た図である。
【００５１】
整流部２０Ｄは、図９に示すように、左右方向の中央付近の所定の領域（図９に示す領域Ｄ３）におけるＸ軸に垂直な断面の長さが一定であり、領域Ｄ３の左端から左側の領域（図９に示す領域Ｄ２）におけるＸ軸に垂直な断面の長さが左側に向かうにつれて短くなっており、領域Ｄ３の右端から右側の領域（図９に示す領域Ｄ４）におけるＸ軸に垂直な断面の長さが右側に向かうにつれて短くなっている。また、整流部２０Ｄの左端（すなわち、領域Ｄ２の左端）がクロスフローファン１５の左端よりも右側に位置しており、整流部２０Ｄの右端（すなわち、領域Ｄ４の右端）がクロスフローファン１５の右端よりも左側に位置している。すなわち、空気調和機１Ｄでは、整流部２０Ｄが、スタビライザ１６の、クロスフローファン１５と対向する側とは反対側において、クロスフローファン１５の軸方向における一部にのみ設けられている。
【００５２】
以上のように、空気調和機１Ｄは整流部２０Ｄを備えることにより、クロスフローファン１５に向かう空気流の一部が整流部２０Ｄに達すると、クロスフローファン１５に向かう空気流において中央部から左側および右側への流れが生じる。その結果、領域Ｄ１・Ｄ２・Ｄ４・Ｄ５におけるクロスフローファン１５に向かう空気流量が領域Ｄ３におけるクロスフローファン１５に向かう空気流量よりも多くなる。これにより、領域Ｄ１・Ｄ２・Ｄ４・Ｄ５におけるクロスフローファン１５への空気の流入量を大きくすることができるので、クロスフローファン１５内部の左側および右側における流れ分布の乱れを低減することができる。
【００５３】
〔実施形態３〕
本発明の他の実施形態について、図１０および図１１に基づいて説明すれば、以下のとおりである。なお、説明の便宜上、前記実施形態にて説明した部材と同じ機能を有する部材については、同じ符号を付記し、その説明を省略する。
【００５４】
本実施形態における空気調和機１Ｅは、実施形態１における整流部２０Ａの代わりに、整流部２０Ｅを備えている。
【００５５】
図１０は、前面キャビネット１２ａ、オープンパネル１３、第１前面側熱交換器１４ｂおよび第２前面側熱交換器１４ｃを省略した空気調和機１Ｅの斜視図である。図１１は、整流部２０Ｅの構造を示すものであり、図１０に示す矢印の方向から見た空気調和機１Ｅの内部の模式図である。なお、図１１では、理解しやすくするため、クロスフローファン１５、スタビライザ１６および整流部２０Ｅのみを示している。
【００５６】
整流部２０Ｃは、図１０および図１１に示すように、左端から左右方向の中央までの領域（図１１に示す領域Ｅ１）におけるＸ軸に垂直な断面の長さが右側に向かうにつれて短くなっており、右端から左右方向の中央までの領域（図１１に示す領域Ｅ２）におけるＸ軸に垂直な断面の長さが左側に向かうにつれて短くなっている。なお、本実施形態では、整流部２０Ｅの左右の長さは、クロスフローファン１５の左右の長さと同じ長さであるが、整流部２０Ｅの左右の長さはクロスフローファン１５の左右の長さよりも短くてもよい。また、整流部２０Ｅの左右の長さは、スタビライザ１６の左右の長さと同じ、または、スタビライザ１６の左右の長さよりも長くてもよい。
【００５７】
ここで、クロスフローファン１５の左右方向中央付近において、クロスフローファン１５の内部の流れ分布が乱れている場合を想定する。このような状況は、例えば、吹出口の左右方向中央部にドレンパン１８支持する部材（不図示）、は気流パネル１１を支持する部材（不図示）、イオンなどの帯電微粒子発生部、上下風向板の軸受などの構造物が存在するようなときに発生する。
【００５８】
この問題に対して、空気調和機１Ｅは、整流部２０Ｅを備えている。これにより、クロスフローファン１５に向かう空気流の一部が整流部２０Ｅに達すると、クロスフローファン１５に向かう空気流において左側および右側から中央部への流れが生じる。その結果、左右中央付近におけるクロスフローファン１５に向かう空気流量が左側および右側におけるクロスフローファン１５に向かう空気流量よりも多くなる。これにより、左右中央付近におけるクロスフローファン１５への空気の流入量を大きくすることができるので、クロスフローファン１５内部の左右方向中央付近における流れ分布の乱れを低減することができる。
【００５９】
なお、本実施形態における空気調和機１Ｅでは、左右方向の中央に向かうにつれてＸ軸に垂直な断面の整流部２０Ｅの長さが短くなる構成であったが、本発明の送風装置は、これに限られない。すなわち、本発明の一態様の空気調和機は、左右方向の端部ではないある位置（端部以外の位置、両端部の間に位置するある位置）に向かうにつれてＸ軸に垂直な断面の整流部２０Ｅの長さが短くなる構成であればよい。
【００６０】
＜変形例３＞
次に、実施形態３における空気調和機１Ｅの変形例としての空気調和機１Ｆについて、図１２に基づいて説明する。なお、説明の便宜上、前記実施形態にて説明した部材と同じ機能を有する部材については、同じ符号を付記し、その説明を省略する。
【００６１】
本変形例における空気調和機１Ｆは、実施形態３における整流部２０Ｅの代わりに、整流部２０Ｆを備えている。
【００６２】
実施形態３における空気調和機１Ｅでは、整流部２０Ｃは、１つの部材からなっており、左右方向の長さがクロスフローファン１５の軸方向の長さと同じであった。これに対して、空気調和機１Ｆの整流部２０Ｆは、２つの部材からなっている。
【００６３】
図１２は、整流部２０Ｆの構造を示す模式図である。なお、図１２は、実施形態３における図１１と同じ方向から空気調和機１Ｆを見た図である。
【００６４】
整流部２０Ｆは、図１２に示すように、第１整流部２０Ｆａおよび第２整流部２０Ｆｂからなっている。第１整流部２０Ｆａは、左端から一定の距離までの領域（図１２に示す領域Ｆ１）におけるＸ軸に垂直な断面の長さが右側に向かうにつれて短くなっている。第１整流部２０Ｆａの左端は、左右方向においてクロスフローファン１５の左端と同じ位置である。第２整流部２０Ｆｂは、右端から一定の距離までの領域（図１２に示す領域Ｆ３）におけるＸ軸に垂直な断面の長さが左側に向かうにつれて短くなっている。第２整流部２０Ｆｂの右端は、左右方向においてクロスフローファン１５の右端と同じ位置である。
【００６５】
空気調和機１Ｆでは、領域Ｆ１と領域Ｆ３に囲まれた領域（図１２に示す領域Ｆ２）には、整流部が形成されていない。すなわち、空気調和機１Ｆでは、整流部２０Ｆが、スタビライザ１６の、クロスフローファン１５と対向する側とは反対側において、クロスフローファン１５の軸方向における一部にのみ設けられている。
【００６６】
以上のように、空気調和機１Ｆは整流部２０Ｆを備えることにより、クロスフローファン１５に向かう空気流の一部が整流部２０Ｄに達すると、クロスフローファン１５に向かう空気流において左側および右側から中央部への流れが生じる。その結果、左右中央付近におけるクロスフローファン１５に向かう空気流量が左側および右側におけるクロスフローファン１５に向かう空気流量よりも多くなる。これにより、左右中央付近におけるクロスフローファン１５への空気の流入量を大きくすることができるので、クロスフローファン１５内部の左右方向中央付近における流れ分布の乱れを低減することができる。
【００６７】
〔実施形態４〕
本発明の他の実施形態について、図１３および図１４に基づいて説明すれば、以下のとおりである。なお、説明の便宜上、前記実施形態にて説明した部材と同じ機能を有する部材については、同じ符号を付記し、その説明を省略する。
【００６８】
実施形態１〜３における空気調和機１Ａ〜１Ｆの整流部２０Ａ〜２０Ｆは、クロスフローファン１５の軸方向に垂直な断面（すなわち、ＸＺ平面に垂直な断面）において、一方の端部がスタビライザ１６の上端部１６ａと接続されていた。これに対して、本実施形態における空気調和機１Ｇでは、実施形態１における整流部２０Ａの代わりに、クロスフローファン１５の軸方向の一部の範囲においてスタビライザ１６の上端部１６ａとは接続されていない整流部２０Ｇを備えている。
【００６９】
図１３は、前面キャビネット１２ａ、オープンパネル１３、第１前面側熱交換器１４ｂおよび第２前面側熱交換器１４ｃを省略した空気調和機１Ｇの斜視図である。図１４は、整流部２０Ｇの構造を示すものであり、図１３に示す矢印の方向から見た空気調和機１Ｇの内部の模式図である。なお、図１４では、理解しやすくするため、クロスフローファン１５、スタビライザ１６および整流部２０Ｇのみを示している。
【００７０】
整流部２０Ｇは、左右方向中央付近の領域（図１４に示す領域Ｇ２）では、クロスフローファン１５の軸方向に垂直な断面（すなわち、Ｘ軸に垂直な断面）において、一方の端部がスタビライザ１６の上端部１６ａと接続され、他方の端部がドレンパン１８と接続されている。これにより、整流部２０Ｇは、領域Ｇ２におけるＸ軸に垂直な断面の長さが一定である。また、整流部２０Ｇは、領域Ｇ２の左端から左側の領域（図１４に示す領域Ｇ１）では、一方の端部がドレンパン１８と接続されており、Ｘ軸に垂直な断面の長さが左に向かうにつれて短くなっている。さらに、整流部２０Ｇは、領域Ｇ２の右端から右側の領域（図１４に示す領域Ｇ３）では、一方の端部がドレンパン１８と接続されており、Ｘ軸に垂直な断面の長さが右に向かうにつれて短くなっている。
【００７１】
空気調和機１Ｇは、クロスフローファン１５の軸方向に垂直な断面における長さが、領域Ｇ１および領域Ｇ３よりも領域Ｇ２の方が長い整流部２０Ｇを備えている。これにより、クロスフローファン１５に向かう空気流の一部が整流部２０Ｇに達すると、クロスフローファン１５に向かう空気流において中央部から左側および右側への流れが生じる。その結果、領域Ｇ１および領域Ｇ３におけるクロスフローファン１５に向かう空気流量が領域Ｇ２におけるクロスフローファン１５に向かう空気流量よりも多くなる。これにより、領域Ｇ１および領域Ｇ３におけるクロスフローファン１５への空気の流入量を大きくすることができるので、クロスフローファン１５内部の左側および右側における流れ分布の乱れを低減することができる。
【００７２】
〔まとめ〕
本発明の態様１に係る送風装置（空気調和機１Ａ〜１Ｇ）は、クロスフローファン１５と、該クロスフローファンの軸方向に沿って配置されたスタビライザ１６とを備えた送風装置であって、前記スタビライザの、前記クロスフローファンと対向する側とは反対側に設けられ、前記クロスフローファンへの前記軸方向に垂直な方向の空気流量を調整する整流部２０Ａ〜２０Ｇを備え、前記整流部は、前記整流部および前記クロスフローファンが並ぶ方向の長さ、または、前記スタビライザの対する傾斜角度が、前記軸方向において一定ではない。
【００７３】
クロスフローファンの内部において空気の流れ分布が均一であることが理想的であるが、通常、クロスフローファンに流入される空気の流量が軸方向で一定であっても、当該クロスフローファンの内部において空気の流れ分布が乱れ、排出される空気の流量が軸方向で異なる。
【００７４】
そこで、上記の構成によれば、クロスフローファンへの前記軸方向に垂直な方向の空気流量を調整する整流部が、前記整流部および前記クロスフローファンが並ぶ方向の長さ、または、前記スタビライザの対する傾斜角度が、前記軸方向において一定ではない（換言すれば、軸方向において互いに異なっている領域が存在する）。これにより、クロスフローファンの内部における空気の流れ分布を均一に近づけるように、軸方向におけるクロスフローファンに流入される空気の流量を調整することができる。その結果、クロスフローファンの内部における空気の流れ分布の乱れを低減することが可能になる。つまり、クロスフローファンの内部における空気の流れ分布の乱れを低減するように、クロスフローファンに流入される空気の流量を軸方向で調整するように整流部を形成すればよい。このように、整流部を適宜形成することにより、クロスフローファンに向かう空気流量を調整することができる。その結果、クロスフローファン内部おける流れ分布の乱れを低減することができる。
【００７５】
また、整流部は、空気調和機の内部における空気流路において、クロスフローファンよりも上流側に設けられている。これにより、クロスフローファンよりも下流側における気流の流量が低下することがないようになっている。すなわち、空気調和機は、送出する空気の流量を低下させることなく、クロスフローファンにおける流れ分布の乱れを低減することができる。
【００７６】
本発明の態様２に係る送風装置は、上記態様１において、前記整流部は、前記軸方向の一方の端部から他方の端部に向かうにつれて、前記整流部および前記クロスフローファンが並ぶ方向の長さが短くなっている構成であってもよい。
【００７７】
上記の構成によれば、クロスフローファンの軸方向に垂直な方向に向かう流路が一方の端部側よりも他方の端部側の方が大きくなる。そのため、クロスフローファンに向かう空気流において一方の端部側から他方の端部側への流れが生じる。その結果、他方の端部側におけるクロスフローファンに向かう空気流量が一方の端部側におけるクロスフローファンに向かう空気流量よりも多くなる。これにより、他方の端部側におけるクロスフローファンへの空気の流入量を大きくすることができるので、クロスフローファン内部の他方の端部側における流れ分布の乱れを低減することができる。
【００７８】
本発明の態様３に係る送風装置は、上記態様１において、前記整流部は、前記軸方向の端部ではないある領域から両端部に向かうにつれて、前記整流部および前記クロスフローファンが並ぶ方向の長さが短くなっている構成であってもよい。
【００７９】
上記の構成によれば、クロスフローファンに向かう空気流の一部が整流部に達すると、クロスフローファンに向かう空気流において端部ではないある領域から両側への流れが生じる。その結果、両側におけるクロスフローファン１５に向かう空気流量が端部ではないある領域におけるクロスフローファンに向かう空気流量よりも多くなる。これにより、両側におけるクロスフローファンへの空気の流入量を大きくすることができるので、クロスフローファン内部の両側における流れ分布の乱れを低減することができる。
【００８０】
本発明の態様４に係る送風装置は、上記態様１において、前記整流部は、前記軸方向の両端部から端部ではないある位置に向かうにつれて、前記整流部および前記クロスフローファンが並ぶ方向の長さが短くなっている構成であってもよい。
【００８１】
上記の構成によれば、クロスフローファンに向かう空気流の一部が整流部に達すると、クロスフローファンに向かう空気流において両側から端部ではないある位置への流れが生じる。その結果、端部ではないある位置におけるクロスフローファンに向かう空気流量が両側におけるクロスフローファンに向かう空気流量よりも多くなる。これにより、端部ではないある位置におけるクロスフローファンへの空気の流入量を大きくすることができるので、クロスフローファン内部の端部ではないある位置における流れ分布の乱れを低減することができる。
【００８２】
本発明の態様５に係る送風装置は、上記態様１〜４のいずれかにおいて、前記整流部は、前記スタビライザの、前記クロスフローファンと対向する側とは反対側の一部に設けられている構成であってもよい。
【００８３】
上記構成によれば、整流部は、前記スタビライザの、前記クロスフローファンと対向する側とは反対側の一部に設けられているだけであっても、上述したように、クロスフローファンに向かう空気流量を調整することができるので、クロスフローファン内部おける流れ分布の乱れを低減することができる。
【００８４】
本発明の態様６に係る送風装置は、上記態様１〜５のいずれかにおいて、前記整流部は、前記スタビライザとは別部品により構成されている構成であってもよい。
【００８５】
上記の構成によれば、スタビライザを簡易な構造の金型により成形することができる。その結果、スタビライザの寸法精度を向上させることができる。
【００８６】
本発明の態様７に係る送風装置は、上記態様６において、前記別部品は、発泡材で成形されている構成であってもよい。
【００８７】
上記の構成によれば、発泡材は所望の形状に加工しやすいため、整流部の形状を自由に設計することができる。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１Ａ〜１Ｇ      空気調和機（送風装置）
１５            クロスフローファン
１６            スタビライザ
２０Ａ〜２０Ｇ  整流部
【図１】
2018138854.tif 000003
【図２】
2018138854.tif 000004
【図３】
2018138854.tif 000005
【図４】
2018138854.tif 000006
【図５】
2018138854.tif 000007
【図６】
2018138854.tif 000008
【図７】
2018138854.tif 000009
【図８】
2018138854.tif 000010
【図９】
2018138854.tif 000011
【図１０】
2018138854.tif 000012
【図１１】
2018138854.tif 000013
【図１２】
2018138854.tif 000014
【図１３】
2018138854.tif 000015
【図１４】
2018138854.tif 000016